(57)【特許請求の範囲】
【請求項１】
天板と、前記天板又は天板と同一平面上にある面部の所定領域に設けられ且つ前記天板の前後方向への移動動作を利用して開閉可能な開口とを少なくとも備えた天板付き家具に適用される配線装置であり、
配線装置本体と、
当該配線装置本体と前記天板付き家具との間に介在し、前記開口の開閉動作を配線装置本体の移動動作に変換して、前記開口を閉止している場合に前記配線装置本体を天板下空間に収納するとともに、前記開口を開成させた場合に前記配線装置本体を開口に臨む位置に移動させる動作変換機構とを具備したものであり、
前記配線装置本体が、前記動作変換機構によって天板下空間に収納された位置と、開口に臨む位置との間を上下方向に移動するものであり、
前記動作変換機構が、前記配線装置本体を開口に臨む位置に位置付けた場合に当該配線装置本体の下方に位置付けられるものであることを特徴とする配線装置。
【請求項２】
動作変換機構が、前記配線装置本体を天板付き家具に対して上下方向に平行移動可能に案内する平行リンクと、この平行リンクを駆動させるための駆動部とを具備し、これら平行リンク及び駆動部により、前記開口の開閉動作と配線装置本体の移動動作とを連動させるように構成してなることを特徴とする請求項１記載の配線装置。
【請求項３】
平行リンクが、互いに略平行に設けた第１リンクメンバ及び第２リンクメンバを具備してなり、両リンクメンバの一端部及び他端部をそれぞれ配線装置本体及び天板付き家具の各対応位置に回動可能に取り付けていることを特徴とする請求項２記載の配線装置。
【請求項４】
平行リンクが、対をなして設けてあり、両平行リンクの第１リンクメンバ間及び第２リンクメンバ間をそれぞれ配線装置本体を介して同期作動可能に連結していることを特徴とする請求項３記載の配線装置。
【請求項５】
駆動部が、一端部側を前記平行リンクのうちの少なくとも一本のリンクメンバを駆動し得るように前記リンクメンバに関連付けて設けてあるとともに、他端部側を前記天板に関連付けて設けてあることを特徴とする請求項２、３又は４記載の配線装置。
【請求項６】
動作変換機構が、天板の下方に形成される天板下空間内に配置されて外部から隠蔽されていることを特徴とする請求項１、２、３、４又は５記載の配線装置。
【発明の詳細な説明】
【０００１】
【発明の属する技術分野】
本発明は、オフィス等で好適に利用される配線装置に関するものである。
【０００２】
【従来の技術】
近時のオフィス等におけるＯＡ化の進展に伴って、居住空間には多くの配線類が引き回されるようになっている。このような配線の引き回しは、居住空間に見苦しい状態で露出しがちであり、配線が通路を横断したりする等のオフィスの機能性低下の要因ともなり易い。そこで、このような配線処理に関して床から立ち上げ、或いは壁際にあっては壁から引き込んだ配線を机等の天板下に形成した天板下空間に導いて床から机までの配線の引き回し部分を好適に隠蔽し、前記天板近傍に設けたコンセント等の配線具に接続して、この配線具の差込口にワープロやパソコンを始めとする各種ＯＡ機器を接続して使用することが行われている。
【０００３】
このような配線具としては、前記天板に設けた開口に常時上向きに定着されているものや、天板下空間に配置した配線ダクトに収納してあるもの等が挙げられる。
【０００４】
【発明が解決しようとする課題】
ところが、常時、配線具が上向きに定着されているものは、常に一定箇所に差込口が露出した状態となるため、天板上の使用スペースの減少や天板上の美観を損なう、差込口にほこりがたまり易い等の不具合がある。一方、天板下空間に配置した配線ダクトに配線具を収納している場合には、通常、前記開口は蓋部材により閉止されているため、この蓋部材を取り外し、開口内に手を挿入して配線作業を行わねばならず、該作業が非常に行い難いものであった。さらに、前記蓋部材に筆記具等の物品を載せ置くと、配線作業時には、前記物品の移動が必須となり天板面での通常の作業を阻害せざるを得なかった。
【０００５】
そこで、本発明では、配線作業を行う時等、必要な時にのみコンセント等の配線具を備えた配線装置本体を開口に臨む位置に配置し得るような配線装置を提供することを目的とするものである。
【０００６】
【課題を解決するための手段】
すなわち、本発明は、天板と、前記天板又は天板と同一平面上にある面部の所定領域に設けられ且つ前記天板の前後方向への移動動作を利用して開閉可能な開口とを少なくとも備えた天板付き家具に適用される配線装置であり、配線装置本体と、当該配線装置本体と前記天板付き家具との間に介在し、前記開口の開閉動作を配線装置本体の移動動作に変換して、前記開口を閉止している場合に前記配線装置本体を天板下空間に収納するとともに、前記開口を開成させた場合に前記配線装置本体を開口に臨む位置に移動させる動作変換機構とを具備したものであり、前記配線装置本体が、前記動作変換機構によって天板下空間に収納された位置と、開口に臨む位置との間を上下方向に移動するものであり、前記動作変換機構が、前記配線装置本体を開口に臨む位置に位置付けた場合に当該配線装置本体の下方に位置付けられるものであることを特徴とするものである。
【０００７】
このような構成のものであると、配線装置本体の移動を開口の開閉動作と連動させて行っているので、必要に応じて配線装置本体を開口に対して臨ませたり、天板下空間に収納した状態とすることができ、使用状況に対応させた利用が可能となる。すなわち、前記開口を開成させれば、前記動作変換機構を介して前記配線装置本体が開口に臨む位置に移動することとなり、コンセント等の配線具を備えた配線装置本体に配線を接続する等の配線作業を容易に行うことができる。一方、前記開口を閉止させれば、前記動作変換機構を介して前記配線装置本体は天板下空間に収納されるため、机全体の外観を良好なものとし得るとともに、天板面の有効利用面積も低減させることがない。
【０００８】
なお、本明細書中でいうところの天板という概念とは、開口を設けることができる面部を有しているもの全てを指し、棚板等も含むものである。
【０００９】
さらに、本明細書中でいうところの配線装置本体とは、コンセント等の配線具や、前記配線具を載せ置いたり配線を案内したりできる配線ダクト等を含むものである。
【００１０】
動作変換を極めて円滑なものにすることができ、所期の作動の実効を高めることを可能とするには、動作変換機構が、前記配線装置本体を天板付き家具に対して上下方向に平行移動可能に案内する平行リンクと、この平行リンクを駆動させるための駆動部とを具備し、これら平行リンク及び駆動部により、前記開口の開閉動作と配線装置本体の移動動作とを連動させるように構成してなることが望ましい。
【００１１】
この場合に、簡単な構成で的確な作動を営ましめ得るには、平行リンクが、互いに略平行に設けた第１リンクメンバ及び第２リンクメンバを具備してなり、両リンクメンバの一端部及び他端部をそれぞれ配線装置本体及び天板付き家具の各対応位置に回動可能に取り付けていることが望ましい。
【００１２】
動作変換に要する負荷を分担することができ、耐久性を高めるとともに、作動の的確性を一層高めることができるようにするには、平行リンクが対をなして設けてあり、両平行リンクの第１リンクメンバ間及び第２リンクメンバ間をそれぞれ配線装置本体を介して同期作動可能に連結していることが望ましい。
【００１３】
好適な実施の形態としては、天板が、移動可能なものであり、該天板を移動させることにより前記開口を開閉させるものが挙げられる。
【００１４】
この場合に、天板の移動と連動させて前記動作変換機構を駆動させ得るには、駆動部が、一端部側を前記平行リンクのうちの少なくとも一本のリンクメンバを駆動し得るように前記リンクメンバに関連付けて設けてあるとともに、他端部側を前記天板に関連付けて設けてあることが望ましい。
【００１５】
天板付き家具を見栄えの良いものとするには、動作変換機構が、天板の下方に形成される天板下空間内に配置されて外部から隠蔽されていることが望ましい。
【００１６】
【発明の実施の形態】
以下、本発明の一実施の形態について図面を参照して説明する。
【００１７】
本実施の形態では、天板付き家具が、図１に示すような、オフィスや家庭等でパソコン等を載せ置いて使用する机１である場合を例にとって説明する。
【００１８】
この机１は、左右の脚体１１に天板１２を支持させることにより構成してある。前記天板１２は、レール機構等の移動支持機構（図示せず）を介して前後方向に移動可能となるように、前記脚体１１に支持されている。この机１は、図１中想像線に示すように、前方へ移動した場合に反使用端１２ａ側に開口２を形成するものであり、前記天板１２の前後方向への移動動作を利用して開口２の開閉動作を行うようにしている。なお、この机１は、反使用端側にオプション部材等を取り付けるための幅方向に沿った取付領域１３を有しており、前記開口２は、この取付領域１３の前縁部１３ａと前記天板１２の後縁部である反使用端１２ａとの間に形成されるものである。
【００１９】
このような構成の机１において、本実施の形態では、図２〜図４に示すように、前記天板１２の反使用端１２ａ側に配線装置３を設けている。この配線装置３は、配線装置本体４と、この配線装置本体４と前記机１との間に介在させた動作変換機構５とを具備し、この動作変換機構５により、前記開口２の開閉動作を前記配線装置本体４の上下方向への移動動作に変換し、前記開口２を閉止している場合に前記配線装置本体４を天板下空間Ｓに収納する（図３参照）とともに、前記開口２を開成させた場合に前記配線装置本体４を開口２に臨む位置に移動させる（図４参照）ようにしている。
【００２０】
配線装置本体４は、その長手方向を前記天板１２の幅方向と略一致させて位置する断面略上向きコ字形の配線ダクト４１を主体として構成されており、この配線ダクト４１にコンセント等の配線具Hを載せ置いたり、配線類を沿わせたりするようにしている。この配線装置本体４は、前記配線ダクト４１の左右両端部に設けた左右一対の側面視略三角形状の垂下壁４２を有しており、この垂下壁４２を介して前記動作変換機構５と関連付けてある。
【００２１】
動作変換機構５は、前記天板１２の反使用端１２ａ側において、その左右端部に設けてある左右に対をなすもので、前記配線装置本体４を前記机１に対して上下方向に平行移動可能に案内する平行リンク６と、この平行リンク６を駆動させるための駆動部たる駆動リンクメンバ７とを具備している。
【００２２】
平行リンク６は、図３に示すような収納位置において、前上方に傾斜させて互いに略平行に設けた第１、第２リンクメンバ６１、６２を具備してなり、これら第１、第２リンクメンバ６１、６２の回動軌跡に沿って前記配線装置本体４を上下方向に沿って平行移動させるものである。これら第１、第２リンクメンバ６１、６２は、具体的には、一端部６１ａ、６２ａ側を前記配線装置本体４の垂下壁４２に軸部ｐ、ｑを介して回動可能に取り付けてあるとともに、他端部６１ｂ、６２ｂを前記机１の脚体１１の内面に設けた支持部材１５に軸部ｒ、ｓを介して回動可能に取り付けてある。
【００２３】
駆動リンクメンバ７は、前記天板１２の前後方向への移動動作と前記配線装置本体４の上下方向への移動動作とを連動し得るように、前記第１、第２リンクメンバ６１、６２のうち少なくとも一本のリンクメンバを駆動させるものであり、本実施の形態では、前記第１リンクメンバ６１を駆動させるべく一体に設けてある。すなわち、この駆動リンクメンバ７は、図３に示すような収納位置において、前記第１のリンクメンバ６１とともに側面視略くの字状をなすように、その一端部７ａ側を前記第１のリンクメンバ６１の他端部６１ｂ側から一体に延出してある。一方、前記駆動リンクメンバ７の他端部７ｂ側には、長孔７１が設けてあり、この長孔７１に、前記天板１２の下面から垂下した垂下壁１４に保持された軸部ｔを回動且つスライド移動可能に挿入している。
【００２４】
次に、前記動作変換機構５を介して前記配線装置本体４を上下方向に移動させる場合の動作について図３〜図５を利用して説明する。
【００２５】
先ず、通常の状態では、図３中実線及び図５中想像線で示すように、前記開口２は、閉止しており、前記配線装置本体４は、天板下空間Ｓに収納され外部から隠蔽されている。
【００２６】
しかして、このような状態からコンセント等の配線具Ｈを前記開口２に臨む位置に上昇させて配線作業等を行う場合には、前記天板１２を前方へ引く等して操作力を加え、該天板１２を前記移動支持機構（図示せず）を介して前方へ移動させる。前記天板１２を前方へ移動させると、図４に示すように、開口２が開成し、前記配線装置本体４は前記動作変換機構５を介して前記開口２に臨む位置まで上昇する。具体的には、前記天板１２の前方への移動動作に伴って、前記駆動リンクメンバ７が、一端部７ａ側を回動支点にして図５中想像線で示す位置から実線で示す位置へと反時計回りすなわち前方へ向って回転する。この駆動リンクメンバ７の回転に伴って、前記第１、第２のリンクメンバ６１、６２が、他端部６１ｂ、６２ｂ側を回動支点にして図５中想像線で示す位置から実線で示す位置へと反時計回りすなわち上方へ回転するため、一端部６１ａ、６２ａ側に設けた配線装置本体４は、図４及び図５中実線で示すような前記開口２に臨む位置に上昇する。そして、この位置で配線具Ｈの差込口にプラグを差し込む等の配線作業を行う。なお、この配線装置本体４は、上昇した位置で適宜のロック装置（図示せず）によりロックされている。
【００２７】
一方、配線作業後、前記配線装置本体４を天板下空間Ｓに収納する場合には、前記天板１２を後方に押す等して操作力を加えることにより該天板１２を前記移動支持機構（図示せず）を介して後方へ移動させる。前記天板１２を後方へ移動させると、前記開口２が閉止することとなり、前記配線装置本体４は、前記動作変換機構５を介して天板下空間Ｓへと下降する。具体的には、前記天板１２の後方への移動動作に伴って、前記駆動リンクメンバ７が、一端部７ａ側を回動支点にして図５中実線で示す位置から想像線で示す位置へと時計回りすなわち後方へ回転する。この駆動リンクメンバ７の回転に伴って、前記第１、第２のリンクメンバ６１、６２が、他端部６１ｂ、６２ｂ側を回動支点にして図５中実線で示す位置から想像線で示す位置へと時計回りすなわち下方へ回転するため、一端部６１ａ、６２ａ側に設けた配線装置本体４は、前記天板下空間Ｓへと下降し、外部から隠蔽される。
【００２８】
このような構成のものであると、前記配線装置本体４の上下方向への移動を開口２の開閉動作と連動させて行っているので、必要に応じて前記配線装置本体４を開口２に対して臨ませたり、外部から隠蔽した状態とすることが可能となり、使用状況に対応させた利用が可能となる。すなわち、前記開口２を開成させれば、前記動作変換機構５を介して前記配線装置本体４が開口２に臨む位置に移動することとなり、コンセント等の配線具Ｈに配線を接続する等の配線作業を容易に行うことができる。一方、前記開口２を閉止させれば、前記動作変換機構５を介して前記配線装置本体４は天板下空間Ｓに収納されるため、机１全体の外観を良好なものとし得るとともに、天板面の有効利用面積も低減させることがない。
【００２９】
特に、本実施の形態では、天板１２が、前後方向に移動可能なものであり、該天板１２を移動させることにより前記開口２を開閉させるものであるので、前記開口２を閉止するための蓋部材等を設ける必要がなく、天板自体を蓋部材の代わりとして部品点数の削減を図ることができる。また、配線装置本体４を上下移動させるのに合わせて蓋部材上に載せ置いた筆記具等の物品の移動を行う必要もないため、天板面における通常の使用状態を妨げることなく、配線作業を行うことが可能となる。
【００３０】
動作変換機構５が、前記配線装置本体４を机１に対して上下方向に平行移動可能に案内する平行リンク６と、この平行リンク６を駆動させるための駆動リンクメンバ７とを具備し、これら平行リンク６及び駆動リンクメンバ７により、前記開口２の開閉動作と配線装置本体４の移動動作とを連動させるように構成してなるので、動作変換を極めて円滑なものにすることができ、所期の作動の実効を高めることが可能となる。
【００３１】
平行リンク６が、互いに略平行に設けた第１リンクメンバ６１及び第２リンクメンバ６２を具備してなり、両リンクメンバ６１、６２の一端部６１ａ、６２ａ及び他端部６１ｂ、６２ｂをそれぞれ配線装置本体４及び机１の各対応位置に回動可能に取り付けているので、簡単な構成で的確な作動を営ませ得る。
【００３２】
平行リンク６を左右に対をなして設け、両平行リンク６の第１リンクメンバ６１間及び第２リンクメンバ６２間をそれぞれ配線装置本体４を介して同期作動可能に連結しているので、動作変換に要する負荷を分担することができ、耐久性を高めるとともに、作動の的確性を一層高めることが可能となる。
【００３３】
駆動リンクメンバ７が、一端部７ａ側を前記平行リンク６を駆動し得るように第１リンクメンバ６１に関連付けて設けてあるとともに、他端部７ｂ側を前記天板１２に関連付けて設けてあるので、前記天板１２の前後方向への移動と連動させて前記動作変換機構５を駆動させることが可能となる。
【００３４】
動作変換機構５が、天板１２の下方に形成される天板下空間Ｓ内に配置されて外部から隠蔽されているので、机１全体を見栄えの良いものとすることが可能である。
【００３５】
なお、本発明における構成は、以上説明したものに限定されないのは勿論である。例えば、本実施の形態では、前記天板１２と取付領域１３との間を天板１２と同一平面上にある面部の所定領域とし、この所定領域に開口２を設けていたが、これに限定されず、天板に直接、開口を設けるようにしてもよい。さらに、本実施の形態では、前記開口を天板の反使用端側において左右両端を開放した状態で設けているが、これに限定されず、天板の奥行方向中間位置や幅方向中間位置等に左右両端を閉塞した状態で設けるようにしてもよい。さらに、開口に設けた蓋部材を適宜の手段により開閉させることにより、配線装置本体が上下方向に移動するようなものであってもよい。また、配線装置本体は、前述したような樋状の配線ダクトにコンセント等の配線具を載せ置くものに限定されず、配線具を直接的に動作変換機構の一部に設けているもの等であってもよい。その他の構成も本発明の趣旨を逸脱しない範囲で種々変形が可能である。
【００３６】
【発明の効果】
本発明は、以上説明したような構成で実施され以下に記載されるような効果を奏する。
【００３７】
すなわち、本発明は、前記天板付き家具との間に介在させた動作変換機構により、前記開口の開閉動作を配線装置本体の移動動作に変換するようにしているので、必要に応じて配線装置本体を開口に対して臨ませたり、外部から隠蔽した状態とすることができ、使用状況に対応させた利用が可能となる。
【図面の簡単な説明】
【図１】本発明の一実施の形態を示す全体斜視図。
【図２】同要部を示す分解斜視図。
【図３】同配線装置本体が収納位置にある場合を模式的に示す側断面図。
【図４】同配線装置本体が使用位置にある場合を模式的に示す側断面図。
【図５】同作用説明図。
【符号の説明】
１…天板付き家具（机）
１２…天板
２…開口
３…配線装置
４…配線装置本体
５…動作変換機構
６…平行リンク
６１…第１リンクメンバ
６２…第２リンクメンバ
７…駆動部（駆動リンクメンバ）
Ｓ…天板下空間
【図１】
0004030751.tif 000002
【図２】
0004030751.tif 000003
【図３】
0004030751.tif 000004
【図４】
0004030751.tif 000005
【図５】
0004030751.tif 000006